(57)【要約】【課題】  便座の座面上に敷かれた状態から破損させることなく容易に引き剥がすことができる便座シートペーパーの提供。【解決手段】  本考案は、便座の座面上を覆うように敷かれる便座シートペーパーにおいて、当該便座シートペーパーの外周縁の一部に当該外周縁の外方に向けて、少なくとも指先で摘める突出部を設けたことを特徴とする。又、その突出部は、便座に座った状態において、両足の間に位置するよう設けられたことを特徴とする。【選択図】図１
0003102925.tif 000002
【実用新案登録請求の範囲】
【請求項１】
便座の座面上を覆うように敷かれる便座シートペーパーにおいて、当該便座シートペーパーの外周縁の一部に当該外周縁の外方に向けて、少なくとも指先で摘める突出部を設けたことを特徴とする便座シートペーパー。
【請求項２】
突出部は略Ｕ字状であることを特徴とする請求項１に記載の便座シートペーパー。
【請求項３】
突出部は、便座に座った状態において、両足の間に位置するよう設けられたことを特徴とする請求項1又は請求項２に記載の便座シートペーパー。
【請求項４】
便座シートペーパーは水溶性素材であることを特徴とする請求項1乃至請求項３の何れかに記載の便座シートペーパー。
【請求項５】
便座シートペーパーは香気成分が含浸されていることを特徴とする請求項1乃至請求項４の何れかに記載の便座シートペーパー。
【請求項６】
便座シートペーパーは還状に成形されたことを特徴とする請求項1乃至請求項５の何れかに記載の便座シートペーパー。
【請求項７】
突出部は便座シートペーパーと一体に成形されたことを特徴とする請求項1乃至請求項６の何れかに記載の便座シートペーパー。
【請求項８】
突出部は、別体に成形されて、便座シートペーパーに貼着されたことを特徴とする請求項1乃至請求項６の何れかに記載の便座シートペーパー。
【考案の詳細な説明】
【技術分野】
【０００１】
本考案は便座に敷かれる便座シートペーパーに関するものである。
【背景技術】
【０００２】
急速に普及している洋式便器では、和式便器と異なって便座に直接座るものであることが、特に、不特定の者が頻繁に使用するデパートやホテル等において、衛生上或いは清潔感情の点から問題視されている。
【０００３】
これを解決する手段として、便座にペーパーを敷き変える方式が種々提案されている。例えば、実用新案登録第３０１３４７７号公報（実用新案文献１）や実用新案登録第３０７２６４８号公報(実用新案文献２）等がある。
しかし、何れにおいても、使用後には、便座上に敷かれた便座シートペーパーを引き剥がす必要があるが、
従来の便座シートペーパーでは、汗で湿って便座に張り付いてしまったり、敷かれた状態で便座シートペーパーがよじれて摘み所がなくなったりして、使用者に不快感を与えることが少なくなかった。
【実用新案文献１】
【０００４】
実用新案登録第３０１３４７７号公報
【実用新案文献２】
【０００５】
実用新案登録第３０７２６４８号公報
【考案の開示】
【考案が解決しようとする課題】
【０００６】
本考案は、使用済みの便座シートペーパーを便座から容易に引き剥がすことができる便座シートペーパーの提供を目的とする。
【課題を解決するための手段】
【０００７】
本考案は、便座の座面上を覆うように敷かれる便座シートペーパーにおいて、当該便座シートペーパーの外周縁の一部に当該外周縁の外方に向けて、少なくとも指先で摘める突出部を設けたことを特徴とする。
【０００８】
又、本考案は、突出部は略Ｕ字状であることを特徴とする。
【０００９】
又、本考案は、突出部は便座に座った状態において、両足の間に位置するよう設けられたことを特徴とする。
【００１０】
又、本考案は、便座シートペーパーは水溶性素材であることを特徴とする。
【００１１】
又、本考案は、便座シートペーパーは香気成分が含浸されていることを特徴とする。
【００１２】
又、本考案は、便座シートペーパーは還状に成形されたことを特徴とする
【００１３】
又、本考案は、突出部は便座シートペーパーと一体に成形されたことを特徴とする。
【００１４】
又、本考案は、突出部は別体に成形されて、便座シートペーパーに貼着されたことを特徴とする。
【考案の効果】
【００１５】
本考案によれば、突出部を摘んで、使用済みの便座シートペーパーを便座から容易に引き剥がすことができる。
【００１６】
又、本考案によれば、突出部が両足の間に位置するよう設けているので、座った状態で容易に便座シートペーパーを摘むことができ、立ち上がる人の肌に便座シートペーパーが付くことを阻止することができる。
【００１７】
又、本考案によれば、突出部が両足の間に位置、即ち、便座の形状に応じて略楕円形に成形された便座シートペーパーの長軸の一方側から、即ち前記長軸を中央とする便座シートペーパーを、その中央の長軸に沿って引き剥がすことにより、左右対称の便座シートペーパーを破損させることなく、容易に便座から引き剥がすことができる。
【００１８】
又、本考案によれば、水溶性素材で成形されているため、引き剥がした後、そのまま便座シートペーパーを便器内に捨てることができる。
【００１９】
又、本考案によれば、香気が含浸されているので、気になる悪臭を押さえ、香気に包まれて快適に用を足すことができる。
【００２０】
又、本考案によれば、便座シートペーパーが還状に成形されているので、一つの突出部を摘むことによって、全体を容易に引き剥がすことができる。
【００２１】
又、本考案によれば、突出部が便座シートペーパーと一体に成形されているので、引き剥がす際の破損を抑制することができる。
【００２２】
又、本考案によれば、別体に成形された突出部が便座シートペーパーに貼り付けられているので、貼り付け部位の強度が高まり、更に一段と引き剥がす際の破損を抑制することができる。
【考案を実施するための最良の形態】
【００２３】
以下、本考案を実施するための最良の形態を実施例に基づいて説明する。
【実施例１】
【００２４】
先ず、実施例１を図１に基づいて説明する。図１は平面図である。
図１において、図中の符号１は、便座の座面上を覆うように敷かれる便座シートペーパーであり、同図の左右方向を長軸にして楕円を描く還状に成形されている。長軸の右方向が使用者の正面方向であり、長軸の左方向が使用者の背面側となる。
【００２５】
符号２は、便座シートペーパー１の外周縁の一部に当該外周縁の外方に向けて形成された突出部であり、少なくとも指先で摘める面積を持つよう突設されている。
図示の突出部２はその外周縁が略Ｕ字状に成形されているが、この形状に限らず適宜の形状、例えば四角形や三角形状としてもよい。
【００２６】
図示の突出部２は、便座に座った状態において、前記長軸上における使用者の正面側に設けるのが最適であるが、勿論これに限らず、便座シートペーパー１の外周縁の一部に設けておけばよく、中でも、両足の間に位置するよう設けておくのが好適である。
【００２７】
このように、便座シートペーパー１に突出部２を設けておくと、突出部２を摘んで使用済みの便座シートペーパーを便座から容易に引き剥がすことができる。
又、突出部２を座った人の両足の間、特に長軸上に位置するよう設けることによって、座った状態で容易に便座シートペーパーを摘むことができ、立ち上がる人の肌に便座シートペーパーが付くことを阻止できる。
【００２８】
又、便座の形状に応じて略楕円形に成形された便座シートペーパー１の長軸の一方側から、即ち前記長軸を中央とする便座シートペーパー１の中央の長軸に沿って引き剥がすことができるので、左右対称の便座シートペーパーを破損させることなく、容易に便座から引き剥がすことができる。
【００２９】
便座シートペーパーは、引き剥がした後、そのまま便器内に捨てることができるように水溶性素材で形成しておくとよい。又、便座シートペーパーは香気成分を含浸させておくと、トイレ内の気になる悪臭を押さえ、香気に包まれて快適に用を足すことができる。
【実施例２】
【００３０】
上記の実施例１では、突出部２が便座シートペーパー１と一体に成形されていたが、図２に示す実施例２は、突出部２を別体に成形して、便座シートペーパー１に貼着して、上記実施例１と同様に、突出部２を備えた便座シートペーパーを形成したものである。
【００３１】
実施例１では、突出部１を一体に備えた便座シートペーパーを、例えば、所定の原紙からカットして成形するに当たり、突出部が存在する分、歩留まりが悪くなるが、この実施例２では、突出部を別体に成形してあるので、突出部のない還状の便座シートペーパーとしてカットすることができ、原紙からのカット成形において歩留まりが高まると共に、別体に形成された突出部を、還状の便座シートペーパー１に貼り付けるので、貼り付け部位の強度が高まり、更に一段と引き剥がす際の破損を抑制することができる。
【産業上の利用可能性】
【００３２】
本考案は、家庭用の洋式便器のみならず、ホテル等衛生意識の高い公衆に提供する業務用の洋式便器に適用することができる。
【図面の簡単な説明】
【００３３】
【図１】実施例１の便座シートペーパーの平面図である。
【図２】実施例２の便座シートペーパーの平面図である。
【符号の説明】
【００３４】
１    便座シートペーパー
２    突出部
【図１】
0003102925.tif 000003
【図２】
0003102925.tif 000004